(57)【要約】【課題】ランプの管電流、または管電圧の一方、または両方について、その大きさが適正な範囲内であるかどうかの判定に用いる検出信号の入力ポート数を抑え、コストダウンを図った表示装置を提供する。【解決手段】表示装置１は、点灯制御回路３が放電ランプ６ａを点灯させ、映像信号処理部５が入力されている映像信号にかかる映像を表示器６に表示する。検出回路４は、放電ランプ６ａの管電流の大きさが、下限値と、上限値との間にあるかどうかを示す検出信号を出力する。主制御部２は、検出回路４から入力されている検出信号の状態を監視する。主制御部２は、この検出信号の状態が、放電ランプ６ａの管電流の大きさが下限値と、上限値との間にないことを示す状態であるとき、点灯制御回路３や、映像信号処理部５等に対して動作停止を指示する。【選択図】図１
2011003439.tif 000002
【特許請求の範囲】
【請求項１】
バックライトを用いて、映像を表示する表示装置において、
バックライトとして機能するランプの点灯状態を制御する点灯制御部と、
前記ランプにおける管電流、または管電圧の少なくとも一方を検出対象とし、この検出対象の大きさが予め定めた下限値と上限値との間であるかどうかを示す検出信号を出力する検出部と、
前記検出部から入力されている前記検出信号が、前記検出対象の大きさが予め定めた下限値と上限値との間でないことを示す状態であるとき、前記点灯制御部に対して前記ランプの消灯を指示する主制御部と、を備えた表示装置。
【請求項２】
前記検出部は、
前記検出対象の大きさを示す測定信号が入力され、前記検出対象の大きさを前記下限値と比較し、この下限値より小さいときにローベルを出力する第１のコンパレータと、
前記測定信号が入力され、前記検出対象の大きさを前記上限値と比較し、この上限値より大きいときにローベルを出力する第２のコンパレータと、を有し、
前記第１のコンパレータ出力端と、前記第２のコンパレータの出力端と、を接続したラインを所定の電圧にプルアップし、このラインを前記検出信号として出力する、請求項１に記載の表示装置。
【請求項３】
前記検出部は、前記第１のコンパレータ、および前記第２のコンパレータに対して、前記検出対象の大きさを示す測定信号を、ローパスフィルタを介して入力する、請求項２に記載の表示装置。
【発明の詳細な説明】
【技術分野】
【０００１】
この発明は、冷陰極管等の放電ランプをバックライトとして用い、映像を表示する表示装置に関する。
【背景技術】
【０００２】
従来、冷陰極管等の放電ランプをバックライトとして用い、映像を表示する液晶表示装置があった。液晶表示装置は、テレビ受像機への適用や、パーソナルコンピュータのモニタとして利用されている。
【０００３】
また、液晶表示装置には、放電ランプの異常を検出すると、この放電ランプの点灯を制御する点灯制御回路等を含む周辺回路を停止させ、これら周辺回路の破損を防止するための保護回路が設けられている（特許文献１等参照）。例えば、特許文献１では、放電ランプの管電流と、予め定めた最低電流と、を比較した第１の比較結果、および、放電ランプの管電流と、予め定めた最大電流と、を比較した第２の比較結果、をマイコンに入力している。マイコンでは、入力されている第１の比較結果、および第２の比較結果に基づいて、放電ランプの管電流が適正な範囲内（最低電流と最大電流との間）であるかどうかを判定する。そして、マイコンは、放電ランプの管電流が適正な範囲内でないと判定すると、この放電ランプの点灯を制御する点灯制御回路等を含む周辺回路を停止し、これら周辺回路が破損するのを防止している。
【先行技術文献】
【特許文献】
【０００４】
【特許文献１】特開２００４−８７３７４号公報
【発明の概要】
【発明が解決しようとする課題】
【０００５】
しかしながら、特許文献１等で開示されている従来構成は、マイコンに対して、放電ランプの管電流と、予め定めた最低電流と、を比較した第１の比較結果、および、放電ランプの管電流と、予め定めた最大電流と、を比較した第２の比較結果、の２つの信号を入力する構成であった。すなわち、第１の比較結果および第２の比較結果を入力する２つの入力ポートが確保できるマイコンを使用しなければならなかった。
【０００６】
この発明の目的は、ランプの管電流、または管電圧の一方、または両方について、その大きさが適正な範囲内であるかどうかの判定に用いる検出信号の入力ポート数を抑え、コストダウンを図った表示装置を提供することにある。
【課題を解決するための手段】
【０００７】
この発明の表示装置は、上記目的を達するために、以下のように構成している。
【０００８】
この表示装置は、バックライトを用いて、映像を表示する液晶表示装置等である。
【０００９】
点灯制御回路は、バックライトとして機能するランプの点灯状態を制御する。この点灯制御回路は、例えば公知のインバータを有する構成であり、このインバータの一次側巻線に接続されている直流電圧を、一次側のスイッチングトランジスタのオン／オフ周波数を制御し、２次側巻線にランプの点灯に必要な電圧を伝達する。ランプは、この２次側巻線に接続される。
【００１０】
検出部は、ランプにおける管電流、または管電圧の少なくとも一方を検出対象とし、この検出対象の大きさが予め定めた下限値と上限値との間であるかどうかを示す検出信号を出力する。そして、主制御部は、検出部から入力されている検出信号が、検出対象の大きさが予め定めた下限値と上限値との間でないことを示す状態であるとき、点灯制御部に対してランプの消灯を指示する。点灯制御回路は、主制御部からのランプの消灯指示に応じて、インバータ（一次側のスイッチングトランジスタのオン／オフ制御）を停止する。
【００１１】
このように、主制御部に対して、検出対象の大きさが予め定めた下限値と上限値との間であるかどうかを示す検出信号を入力する構成としたので、主制御部に設けるマイコンは、ランプの異常検知に用いる信号の入力ポートを１つにできる。したがって、入力ポート数の少ない、安価なマイコンを使用することができ、本体のコストダウンが図れる。
【００１２】
また、検出部は、例えば、第１のコンパレータ、および、第２のコンパレータを有する構成とする。第１のコンパレータは、検出対象の大きさを示す測定信号が入力され、検出対象の大きさを下限値と比較し、この下限値より小さいときにローベルを出力する。第２のコンパレータは、検出対象の大きさを示す測定信号が入力され、検出対象の大きさを上限値と比較し、この上限値より大きいときにローベルを出力する。
【００１３】
さらに、第１のコンパレータ出力端と、第２のコンパレータの出力端と、を接続したラインを所定の電圧にプルアップし、このラインを検出信号として出力する。第１のコンパレータ出力端と、第２のコンパレータの出力端と、の接続点は、検出対象の大きさが下限値と上限値との間にあるときにハイレベルになり、検出対象の大きさが下限値よりも小さいときや、上限値よりも大きいときに、ローレベルになる。主制御部では、検出信号がハイレベルであるか、ローレベルであるかによって、検出対象の大きさが下限値と上限値との間にある適正な状態であるかどうかの判定が行える。
【００１４】
また、第１のコンパレータ、および第２のコンパレータに対して、検出対象の大きさを示す測定信号を、ローパスフィルタを介して入力する構成とすれば、ノイズ等によって、検出対象の大きさが予め定めた下限値と上限値との間にないとする、誤判定を防止することができ、装置本体の信頼性も向上できる。
【発明の効果】
【００１５】
この発明によれば、ランプの管電流、または管電圧の一方、または両方について、その大きさが適正な範囲内であるかどうかを判定するのに用いる信号の入力ポート数が抑えられ、本体のコストダウンが図れる。
【図面の簡単な説明】
【００１６】
【図１】この発明の実施形態である表示装置の主要部の構成を示すブロック図である。
【図２】検出回路を示す図である。
【図３】放電ランプの管電流に応じた電圧を検出する回路を示す図である。
【図４】放電ランプの管電圧に応じた電圧を検出する回路を示す図である。
【図５】別の実施形態にかかる検出回路を示す図である。
【発明を実施するための形態】
【００１７】
以下、この発明の実施形態である表示装置について説明する。
【００１８】
図１は、この発明の実施形態である表示装置の主要部の構成を示すブロック図である。この表示装置１は、主制御部２と、点灯制御回路３と、検出回路４と、映像信号処理部５と、表示器６と、を備えている。主制御部２は、本体各部の動作を制御する。表示器６は、冷陰極管等の放電ランプ６ａをバックライト光源として用い、映像を表示する液晶表示器である。点灯制御回路３は、放電ランプ６ａの点灯状態を制御する。この点灯制御回路３は、インバータを有し、このインバータの一次側巻線に接続されている直流電圧を、一次側のスイッチングトランジスタのオン／オフ周波数を制御し、２次側巻線に放電ランプ６ａの点灯に必要な電圧を伝達する。この２次側巻線には、放電ランプ６ａが接続される。また、一次側のスイッチングトランジスタのオン／オフ周波数を制御するドライバを有している。この種の点灯制御回路３については、公知であるので、ここでは詳細な説明を省略する。
【００１９】
検出回路４は、放電ランプ６ａにおける管電流の大きさが、予め定めた下限値と上限値との間であるかどうかを示す検出信号を主制御部２に入力する。この下限値と、上限値とは、放電ランプ６ａに応じて設定される値であり、この放電ランプ６ａの点灯状態が適正であるときの範囲を規定するものである。すなわち、放電ランプ６ａにおける管電流の大きさが、この下限値と、上限値との範囲外であるとき、この放電ランプ６ａの点灯状態が適正でない。
【００２０】
なお、この検出回路４の詳細については、後述する。
【００２１】
映像信号処理部５は、図示していない外部機器や、チューナ等から入力された映像信号を処理し、この映像信号に基づく映像を表示器６に表示させる。
【００２２】
この表示装置１は、点灯制御回路３が放電ランプ６ａを点灯させ、映像信号処理部５が入力されている映像信号にかかる映像を表示器６に表示する。検出回路４は、放電ランプ６ａの管電流の大きさが、下限値と、上限値との間にあるかどうかを示す検出信号を出力する。主制御部２は、検出回路４から入力されている検出信号の状態を監視する。主制御部２は、この検出信号の状態が、放電ランプ６ａの管電流の大きさが下限値と、上限値との間にないことを示す状態であるとき、点灯制御回路３や、映像信号処理部５等に対して動作停止を指示する。すなわち、主制御部２は、放電ランプ６ａの管電流の大きさが下限値よりも低くなったときや、放電ランプ６ａの管電流の大きさが上限値よりも大きくなったときに、点灯制御回路３や、映像信号処理部５等に対して動作停止を指示する。点灯制御回路３や、映像信号処理部５等は、主制御部２からの動作停止にかかる指示にしたがって動作を停止する。
【００２３】
これにより、表示装置１は、放電ランプ６ａの異常を検出すると、この放電ランプ６ａの点灯を制御する点灯制御回路３や、映像信号処理部５等を含む周辺回路を停止させるので、これら周辺回路の破損を防止することができる。また、主制御部２は、放電ランプ６ａの管電流について、その大きさが下限値と上限値との間（適正な範囲内）であるかどうかの判定に用いる信号の入力ポート数が１つに抑えられるので、本体のコストダウンが図れる。
【００２４】
次に、検出回路４の詳細について説明する。図２は、検出回路を示す図である。検出回路４は、２つのコンパレータＣＰ１、ＣＰ２を有している。コンパレータＣＰ１は，この発明でいう第１のコンパレータに対応し、予め定めた管電流の下限値（例えば、３ｍＡ）と、放電ランプ６ａの管電流と、を比較する。また、コンパレータＣＰ２は，この発明でいう第２のコンパレータに対応し、予め定めた管電流の上限値（例えば、８ｍＡ）と、放電ランプ６ａの管電流と、を比較する。
【００２５】
図２に示すように、コンパレータＣＰ１の＋入力端子、およびコンパレータＣＰ２の−入力端子には、放電ランプ６ａの管電流に応じた電圧（測定信号）が抵抗ＲａおよびコンデンサＣａで構成したローパスフィルタ１１を介して入力されている。具体的には、図３に示すように、放電ランプ６ａの一端に接続した抵抗Ｒ１１の電圧を、管電流の測定信号とし、ローパスフィルタ１１を介してコンパレータＣＰ１の＋入力端子、およびコンパレータＣＰ２の−入力端子に入力している。また、抵抗Ｒ１１に並列に接続しているダイオードＤ１１は、放電ランプ６ａの一方向に流れる管電流を測定するために設けている。すなわち、ダイオードＤ１１の順方向に流れる電流をカットし、ダイオードＤ１１の逆方向に流れる管電流に応じた電圧を測定し、コンパレータＣＰ１の＋入力端子、およびコンパレータＣＰ２の−入力端子に入力する。
【００２６】
コンパレータＣＰ１の−入力端子には、放電ランプ６ａの管電流の下限値（例えば、３ｍＡ）に応じた電圧が入力される。具体的には、電源電圧Ｖｃｃを抵抗Ｒ１、Ｒ２で分圧した電圧を入力している。抵抗Ｒ１、抵抗Ｒ２は、放電ランプ６ａの管電流の下限値に応じた電圧が引き出せるように、その抵抗値を定めている。また、コンパレータＣＰ２の＋入力端子には、放電ランプ６ａの管電流の上限値（例えば、８ｍＡ）に応じた電圧が入力される。具体的には、電源電圧Ｖｃｃを抵抗Ｒ３、Ｒ４で分圧した電圧を入力している。抵抗Ｒ３、抵抗Ｒ４は、放電ランプ６ａの管電流の上限値に応じた電圧が引き出せるように、その抵抗値を定めている。
【００２７】
また、コンパレータＣＰ１、ＣＰ２の出力端子には、それぞれダイオードＤ１、Ｄ２が逆方向に接続されている（ダイオードＤ１、Ｄ２のカソード側と接続されている。）。ダイオードＤ１、Ｄ２のアノードは、Ａ点で接続されている。また、このＡ点は、抵抗Ｒ５を介して適当な電圧Ｖｉにプルアップしている。
【００２８】
さらに、Ａ点とグランド間には、抵抗Ｒ６と抵抗Ｒ７とを設け、抵抗Ｒ６と抵抗Ｒ７との接続点に、ダイオードＤ３を接続している。このダイオードＤ３は、カソードを抵抗Ｒ６と抵抗Ｒ７の接続点に接続している。また、ダイオードＤ３のアノードは、検出信号として、主制御部２の入力ポートに接続される。
【００２９】
次に、この検出回路４の動作について説明する。
【００３０】
まず、検出回路４に入力されている放電ランプ６ａの管電流が下限値と上限値との間にある場合について説明する。この場合には、コンパレータＣＰ１、およびコンパレータＣＰ２の出力端子はハイレベルに保持される。したがって、Ａ点は、ハイレベルに保持される。抵抗Ｒ５、Ｒ６，Ｒ７は、このとき、ダイオードＤ３のカソード側の電圧が、アノード側の電圧よりも高くなるように、抵抗値を定めている。したがって、主制御部２に対して入力している検出信号は、ハイレベルになる。主制御部２は、入力されている検出信号がハイレベルである場合、放電ランプ６ａの管電流が下限値と上限値との間にある（適正な状態である）と判定する。
【００３１】
また、放電ランプ６ａの管電流の測定信号は、ローパスフィルタ１１を介してコンパレータＣＰ１、およびコンパレータＣＰ２に入力しているので、この測定信号がノイズ等により一時的に大きく変化しても、その影響を受けることがない。したがって、表示装置１本体の信頼性も確保できる。
【００３２】
次に、検出回路４に入力されている放電ランプ６ａの管電流が下限値より低くなった場合には、コンパレータＣＰ２の出力端子はハイレベルに保持されるが、コンパレータＣＰ１の出力端子はローレベルに保持される。このため、Ａ点では、ダイオードＤ１を介してコンパレータＣＰ１の出力端子側に電圧が引き込まれローレベルになる。この結果、ダイオードＤ３のカソード側の電圧が、アノード側の電圧よりも低くなり、主制御部２に対して入力している検出信号もローレベルになる。主制御部２は、入力されている検出信号が放電ランプ６ａの管電流が下限値と上限値との間にない（不適正な状態である）と判定する。このとき、主制御部２は、点灯制御回路３や、映像信号処理部５等に対して、動作停止を指示する。
【００３３】
さらに、検出回路４に入力されている放電ランプ６ａの管電流が上限値より高くなった場合には、コンパレータＣＰ１の出力端子はハイレベルに保持されるが、コンパレータＣＰ２の出力端子はローレベルに保持される。このため、Ａ点では、ダイオードＤ２を介してコンパレータＣＰ２の出力端子側に電圧が引き込まれローレベルになる。この結果、ダイオードＤ３のカソード側の電圧が、アノード側の電圧よりも低くなり、主制御部２に対して入力している検出信号もローレベルになる。主制御部２は、入力されている検出信号が放電ランプ６ａの管電流が下限値と上限値との間にない（不適正な状態である）と判定する。このとき、主制御部２は、点灯制御回路３や、映像信号処理部５等に対して、動作停止を指示する。
【００３４】
このように、この表示装置１では、放電ランプ６ａの管電流の大きさが適正な範囲内（下限値と上限値との間）であるかどうかの判定を１つの検出信号により行うので、主制御部２における入力ポート数が抑えられ、本体のコストダウンが図れる。
【００３５】
また、上記の実施形態では、検出回路４は、放電ランプ６ａの管電流の大きさが下限値と、上限値との間にあるかどうかを示す検出信号を出力するとしたが、放電ランプ６ａの管電圧の大きさが下限値と、上限値との間にあるかどうかを示す検出信号を出力する構成としてもよい。
【００３６】
この場合には、コンパレータＣＰ１の＋入力端子、およびコンパレータＣＰ２の−入力端子には、放電ランプ６ａの管電圧を測定した測定信号を、ローパスフィルタ１１を介して入力すればよい。具体的には、図４に示すように、放電ランプ６ａに対した並列に接続した抵抗Ｒ２０、Ｒ２１の接続点の電圧を、ローパスフィルタ１１を介してコンパレータＣＰ１の＋入力端子、およびコンパレータＣＰ２の−入力端子に入力すればよい。また、コンパレータＣＰ１の−入力端子には、抵抗Ｒ１、Ｒ２の抵抗値を調整し、放電ランプ６ａの管電圧の下限値に応じた電圧を入力し、コンパレータＣＰ２の＋入力端子には、抵抗Ｒ３、Ｒ４の抵抗値を調整し、放電ランプ６ａの管電圧の上限値に応じた電圧を入力すればよい。
【００３７】
また、上記実施形態では、ローパスフィルタ１１は、コンパレータＣＰ１、Ｃ２における管電流や、管電圧に応じた電圧の入力側に設けるとしたが、コンパレータＣＰ１、Ｃ２の出力側に設ける構成としてもよい。
【００３８】
さらには、図５に示すように、放電ランプ６ａの管電流の大きさが下限値と上限値との間であるかどうか示す検出信号と、放電ランプ６ａの管電圧の大きさが下限値と上限値との間であるかどうか示す検出信号と、を合成した合成検出信号を、主制御部２に入力する構成としてもよい。このようにすれば、放電ランプ６ａの管電流および管電圧のいずれかが不適正であるときに、点灯制御回路３や、映像信号処理部５等の動作停止が行える。したがって、表示装置１本体の信頼性が一層向上できる。
【００３９】
なお、図５に示した「’」付符号は、同じ「’」なし符号と同様の動作を行う回路部品である。
【符号の説明】
【００４０】
１−表示装置
２−主制御部
３−点灯制御回路
４−検出回路
５−映像信号処理部
６−表示器
６ａ−放電ランプ
１１−ローパスフィルタ
ＣＰ１、ＣＰ２−コンパレータ
【図１】
2011003439.tif 000003
【図２】
2011003439.tif 000004
【図３】
2011003439.tif 000005
【図４】
2011003439.tif 000006
【図５】
2011003439.tif 000007